(57)【要約】【課題】  中空ポリカーボネートの片面をカラーシートで被覆することにより、多数の種類の色柄を選択できるようにして装飾効果を高めた被覆中空ポリカーボネートを提供する。【解決手段】  本考案は、ポリカーボネートを中空構造のプレート状に一体成形して成る中空ポリカーボネート２の片面にカラーシート３を被覆した被覆中空ポリカーボネート１を提供する。【選択図】  図１
0003104439.tif 000002
【実用新案登録請求の範囲】
【請求項１】
ポリカーボネートを中空構造のプレート状に一体成形して成る中空ポリカーボネートの片面にカラーシートを被覆したことを特徴とする被覆中空ポリカーボネート。
【請求項２】
上記カラーシートは軟質樹脂シートであることを特徴とする請求項１記載の被覆中空ポリカーボネート。
【請求項３】
上記カラーシートはエンボス加工が施されていることを特徴とする請求項１又は２記載の被覆中空ポリカーボネート。
【請求項４】
上記カラーシートは半光透過性を有するように形成されていることを特徴とする請求項１，２又は３記載の被覆中空ポリカーボネート。
【請求項５】
上記カラーシートの裏面には粘着剤が塗布されて粘着層が形成されていることを特徴とする請求項１，２，３又は４記載の被覆中空ポリカーボネート。
【考案の詳細な説明】
【技術分野】
【０００１】
本考案は、被覆中空ポリカーボネートに関し、特に、ポリカーボネートを中空構造のプレート状に一体成形して成る中空ポリカーボネートであって、該中空ポリカーボネートをシートで被覆して装飾効果を高めた被覆中空ポリカーボネートに関するものである。
【背景技術】
【０００２】
従来、ポリカーボネートを中空構造のプレート状に一体成形して成る中空ポリカーボネートは広く一般に知られており（例えば、特許文献１参照）、該中空ポリカーボネートは、軽量且つ高強度を有すると共に、カラー化、透明化が可能であるため、建築材料、インテリア材料等に広く利用されている。
【特許文献１】実開平５−５７１４８号公報
【考案の開示】
【考案が解決しようとする課題】
【０００３】
前述したように、従来の中空ポリカーボネートはカラー化が可能であるが、特に、市販されている中空ポリカーボネートの色柄の種類は限られており、種々の用途に用いるため、更に多数の種類の色柄を選択できる中空ポリカーボネートが望まれている。
【０００４】
以上の現状に鑑み、本考案の目的は、中空ポリカーボネートの片面をカラーシートで被覆することにより、多数の種類の色柄を選択できるようにして装飾効果を高めた被覆中空ポリカーボネートを提供する。
【課題を解決するための手段】
【０００５】
上記の課題を解決すべく、本考案は以下の構成を提供する。
請求項１に係る考案は、ポリカーボネートを中空構造のプレート状に一体成形して成る中空ポリカーボネートの片面にカラーシートを被覆したことを特徴とする被覆中空ポリカーボネートを提供するものである。
【０００６】
請求項２に係る考案は、上記カラーシートは軟質樹脂シートであることを特徴とする請求項１記載の被覆中空ポリカーボネートを提供するものである。
請求項３に係る考案は、上記カラーシートはエンボス加工が施されていることを特徴とする請求項１又は２記載の被覆中空ポリカーボネートを提供するものである。
【０００７】
請求項４に係る考案は、上記カラーシートは半光透過性を有するように形成されていることを特徴とする請求項１，２又は３記載の被覆中空ポリカーボネートを提供するものである。
【０００８】
請求項５に係る考案は、上記カラーシートの裏面には粘着剤が塗布されて粘着層が形成されていることを特徴とする請求項１，２，３又は４記載の被覆中空ポリカーボネートを提供するものである。
【考案の効果】
【０００９】
本考案の請求項１記載の考案によれば、ポリカーボネートを中空構造のプレート状に一体成形して成る中空ポリカーボネートの片面にカラーシートを被覆した被覆中空ポリカーボネートを提供するので、カラーシートは種々の種類の色柄が選択できるため、該カラーシートによって被覆中空ポリカーボネートの色柄を用途に対応させて種々に選択でき、被覆中空ポリカーボネートの装飾効果を高めることができる。
【００１０】
請求項２記載の考案によれば、上記カラーシートは軟質樹脂シートであるので、請求項１記載の考案の効果に加え、該軟質樹脂シートは種々の色柄に成形することが可能であり、例えば、淡色の色柄も選択可能である。又、該軟質樹脂シートは可撓性を有するので貼着作業が容易であり、更に、中空ポリカーボネートを保護して、破損、汚染等を防止できる利点もある。
【００１１】
請求項３記載の考案によれば、上記カラーシートはエンボス加工が施されているので請求項１又は２記載の考案の効果に加え、該エンボス加工によって中空ポリカーボネートに高級感を付与できると共に、手触りを良好にすることができる。
【００１２】
請求項４記載の考案によれば、上記カラーシートは半光透過性を有するように形成されているので請求項１，２又は３記載の考案の効果に加え、光を半透過させることができ、明るさを調節することができる。
【００１３】
請求項５記載の考案によれば、上記カラーシートの裏面には粘着剤が塗布されて粘着層が形成されているので請求項１，２，３又は４記載の考案の効果に加え、該粘着層によって該カラーシートの中空ポリカーボネートへの貼着が容易になる。
【考案を実施するための最良の形態】
【００１４】
以下、実施例を示した図面を参照しつつ本考案の実施の形態を説明する。
図１に於いて、１は本考案の被覆中空ポリカーボネートであり、該被覆中空ポリカーボネート１は、ポリカーボネートを中空構造のプレート状に一体成形して成る中空ポリカーボネート２の片面にカラーシート３を被覆したものである。
【００１５】
そして、図２に示す如く、前記中空ポリカーボネート２は平行に所定間隔離間する２枚のポリカーボネート板２ａ，２ａ間に該ポリカーボネート板２ａ，２ａを連結する複数のリブ２ｂ，２ｂ…が所定間隔離間して平行に設けられており、該中空ポリカーボネート２は全体が着色或いは無着色の透明板に形成されている。
【００１６】
又、前記カラーシート３は半光透過性を有するカラー軟質樹脂シートで形成され、該カラーシート３の表面にはエンボス加工が施されている。そして、該カラーシート３の裏面には透明な粘着剤が塗布されて粘着層４が形成されている。
【００１７】
而して、該粘着層４によって、該カラーシート３の裏面を前記中空ポリカーボネート２のいずれかのポリカーボネート板２ａ面に貼着すれば前記被覆中空ポリカーボネート１を作成できる。
【００１８】
従って、該被覆中空ポリカーボネート１を図１に於いて上方から見るとカラーシート３のエンボス面が見え、下方から見ると中空ポリカーボネート２のポリカーボネート板２ａ、前記リブ２ｂ、２ｂ…、及び、反対側のポリカーボネート板２ａが見えると共に、該中空ポリカーボネート２を透過して、前記粘着層４及び前記カラーシート３の裏面側が見える。そして、前記カラーシート３は半光透過性を有しているので、同図に於いて、上方及び下方から見た場合に光が一部透過される。
【００１９】
斯くして、前記カラーシート３は種々の色柄を有するカラー化が可能であり、該カラーシート３を前記中空ポリカーボネート２に被覆することによって、前記被覆中空ポリカーボネート１は種々の用途に対応する色柄に形成することができる。
【００２０】
又、前記カラーシート３は軟質樹脂シートであるので、種々の色柄に成形することが可能であり、例えば、淡色の色柄も選択可能であり、更に、該軟質樹脂シートは可撓性を有するので貼着作業が容易であり、更に又、該カラーシート３によって前記中空ポリカーボネート２を保護し、破損、汚染等を防止することができる。
【００２１】
更に、前記カラーシート３はエンボス加工が施されているので該エンボス加工によって中空ポリカーボネートに高級感を付与できると共に、手触りを良好にすることができる。
【００２２】
更に又、前記カラーシート３は半光透過性を有するように形成されているので光を半透過させることができ、明るさを調節することができる。
そして、前記カラーシート３の裏面には粘着剤が塗布されて粘着層４が形成されているので、該粘着層４によって該カラーシート３の中空ポリカーボネート２への貼着が容易になる。
【００２３】
尚、前記カラーシート３は着色されているが、これに限定されず、無着色であっても良く、非透明であっても良い。然る時は、無着色又は非透明による装飾的効果が期待できる。
【００２４】
更に、前記粘着層４は透明であるが、これに限定されず、半透明又は非透明のものでも良い。然る時は、半透明又は非透明による装飾的効果が期待できる。更に又、前記中空ポリカーボネート２は着色或いは無着色の透明板であるが、これに限定されず、非透明板でも良い。然る時は、非透明板による装飾的効果が期待できる。又、前記粘着層４に代えて、接着剤を用いることも可能である。然る時も略同様の効果が期待できる。但し、粘着層４に比較して貼着が容易でなくなる虞がある。
【００２５】
そして、前記カラーシート３は前記エンボス加工が施されていなくても良い。但し、然る時は、エンボス加工による装飾的効果が期待できなくなる。或いは、前記カラーシート３は種々の模様が印刷された印刷層が形成されていても良い。然る時は、印刷層による装飾的効果が期待できる。
【００２６】
更に、前記カラーシート３は前記中空ポリカーボネート２の片面に貼着したが両面に貼着しても良い。然る時は、中空ポリカーボネート２の両面に於いて、カラーシート３，３による前述の効果が期待できる。
【００２７】
更に又、前記中空ポリカーボネート２はリブ２ａ，２ａ…が平行に設けられたものを用いたが、これに代えてリブがジグザグ状に配設されたもの等、種々の断面形状を有する中空ポリカーボネートを用いても良い。然る時も同様の効果が期待できる。
【図面の簡単な説明】
【００２８】
【図１】本考案の一実施の形態を示し、被覆中空ポリカーボネートの断面図。
【図２】本考案の一実施の形態を示し、粘着層が形成されたカラーシートを中空ポリカーボネートに貼着する前の状態を示す断面図。
【符号の説明】
【００２９】
１  被覆中空ポリカーボネート
２  中空ポリカーボネート
３  カラーシート
４  粘着層
【図１】
0003104439.tif 000003
【図２】
0003104439.tif 000004